(57)【特許請求の範囲】
【請求項１】
無結節の菱目網に於ける隣り合う網目辺を、その長手方向へ亀甲網目の上辺及び下辺となして亀甲網目を形成し、菱目と亀甲目を混在されるものとなし、巾方向の引伸ばしでこれら両者で方形網目が形成されることを特徴とした無結節網目形の変更可能網。
【請求項２】
菱目の網目辺寸法を１としたさい、亀甲網目の左右の網脚寸法を０．４〜３の割合に形成させることを特徴とした請求項１記載の無結節網目形の変更可能網。
【発明の詳細な説明】
【０００１】
【発明の属する技術分野】
本発明は、無結節網目形の変更可能網に関する。
【０００２】
【従来の技術】
図５に示すような無結節の菱目網は従来より存在している。この種の網では、一般に、菱目１の各辺１ａ、１ｂ、１ｃ、１ｄに撚を形成され、且つ各辺１ａ、１ｂ、１ｃ、１ｄの交差点２は貫通節となされている。このさい、貫通節は結節のような球状部の形成されないものであるため、網面に当接する物を損傷しない上で寄与するものである。
【０００３】
ここで、無結節の正方形網目を有する方形状網体を形成するさいの一般例を説明すると、先ず、公知の手法で、図６Ａに示すような菱目網の円筒状網３を製作し、次に同図中に傾斜状の一点鎖線ｓ１で示すように円筒状網３の周面を菱目の一辺に沿った方向へ切断すると共に、同図中に横方向の一点鎖線ｓ２で示すようにその長手方向ｆ１へ切断して（或いはその巾方向ｆ２へ切断して）、同図Ｂに示すような裁断網体３ａを形成するのであり、この後、この裁断網体３ａの両端部の三角状部３ａ１を切除し、この切除後に残った裁断網体部分３ａ２を方形網目を有する方形状網体となす。
【０００４】
【発明が解決しようとする課題】
上記した従来の無結節の菱目網では、これの長手方向ｆ１に対して網目の各辺１ａ、１ｂ、１ｃ、１ｄが傾斜しているため、方形網目を有する方形状網体を形成する場合に於いて無駄に切り捨てる部分が多く生じるという問題がある。
本発明は斯かる問題点に対処せんとするもので、即ち、無駄に切り捨てる部分を減少させて、方形網目に近似した無結節の網目を有する方形状網体が得られるものとした無結節網目形の変更可能網を提供することを目的とする。
【０００５】
【課題を解決するための手段】
上記目的を達成するため、本発明の変更可能網では、請求項１に記載したように、無結節の菱目網に於ける隣り合う網目辺を、その長手方向へ亀甲網目の上辺及び下辺となして亀甲網目を形成し、菱目と亀甲目を混在されるものとなし、巾方向の引伸ばしでこれら両者で方形網目が形成される構成となす。
【０００６】
この変更可能網は、公知の手段で、従来の無結節の菱目網の場合と同様に製作されるものである。
この変更可能網に於いては、亀甲網目の上辺と下辺を結合した左右の網脚は生地の長手方向と合致するものとなる。従って、この変更可能網から無結節方形網目に近似した網目を有する方形状網体を形成するさいは、必要に応じて当該変更可能網をその長手方向及び巾方向へ切断して方形状の裁断網体を形成することで足りるのであり、この裁断網体には無駄に切除される部分は殆ど存在しないものとなる。
【０００７】
上記発明を実施するさい、請求項２に記載したように、菱目の網目辺寸法を１としたさい、亀甲網目の左右網脚寸法を０．４〜３の割合に形成させる。これにより、従来存在している殆どの方形網目に相当する網目が得られる。また前記裁断網体の巾方向の引伸ばしで生じる菱目や亀甲目の各辺の引張力の相互作用により、裁断網体の網面全体に方形網目に近似した形状の比較的斉一な網目群が得られるほか、菱目や亀甲目が任意に変形して形成される一定形状の比較的斉一な網目群が得られるものとなる。
【０００８】
【発明の実施の形態】
図１〜図４は本発明に係る無結節網目形の変更可能網に関するもので、図１は網目の織り構造の概要を示す正面図、図２は各辺の対比寸法を説明するための正面図、図３は前記変形可能網を示しＡは変形可能網から形成されるべき方形状網体と同一巾となされた平面網の正面図、Ｂは変形可能網から形成されるべき方形状網体よりも大幅に大きな平面網の平面図、図４は網目を方形網目に近似させた状態を示す正面図である。
【０００９】
これらの図に示すように本発明に係る無結節網目形の変更可能網５は菱目１と亀甲目４の混在したものとなされている。
菱目１の形態は従来の菱目網の網目に準じたものとなしてあり、また亀甲目４は従来の無結節の菱目網に於ける隣り合う網目辺１ａ、１ｂ、１ｃ、１ｄのうち１ａ及び１ｂを上辺となし、また１ｃ及び１ｄを下辺となし、これら上辺１ａ、１ｂの左右各端部と、下辺１ｃ、１ｄの左右各端部の対応するものとを結合したものを左右の網脚４ａ、４ｂとなしてある。
【００１０】
このさい、左右の網脚４ａ、４ｂの寸法は図２に示すように、菱目辺１ａ、１ｂ、１ｃ、１ｄの一つの寸法を１としたとき、０．４〜３の割合に形成させる。これにより、従来存在している殆どの方形網目に相当する網目が得られるものとなり、また後述の裁断網体の巾方向の引伸ばしで生じた菱目１や亀甲目４の各辺１ａ、１ｂ、１ｃ、１ｄの引張力の相互作用により、裁断網体の網面全体に方形網目に近似した形状の比較的斉一な網目群が得られるようになるほか、菱目１や亀甲目４が任意に変形して形成される一定形状の比較的斉一な網目群が得られるようになる。
【００１１】
上記した本発明に係る変更可能網５を形成するには、例えば、従来の無結節の菱目網を形成するさいに使用される公知の製網機を使用して形成する。この変更可能網５の菱目辺１ａ、１ｂ、１ｃ、１ｄは従来同様にその長手方向ｆ１に対して傾斜し、一方、亀甲目４は、その左右の網脚４ａ、４ｂが網５の長手方向ｆ１に沿うものとなる。
【００１２】
この場合の本発明に係る変更可能網５の網目の織り構造は例えば次のようなものとなされる。
即ち、図１に示すように一つの亀甲目４に於いて、下辺１ｃ、１ｄをなす２つの網脚の交差点２と、上辺１ａ、１ｂをなす２つの網脚の交差点２とのそれぞれを貫通型節となすと共に、上辺１ａ、１ｂ及び下辺１ｃ、１ｄの各網脚には撚を形成する。そして、左右で隣接する亀甲目４、４に於いて、左右で連続した上辺１ａ、１ｂの網脚と、左右の網脚４ａ、４ｂとの交差点２ａ１、そして左右で連続した下辺１ｃ、１ｄの網脚と左右の網脚４ａ、４ｂとの交差点２ａ２のそれぞれを千鳥型節となし、また各網脚４ａ、４ｂの長さ中央には貫通型節を形成し、さらに各網脚４ａ、４ｂの下側の千鳥型節と、各網脚４ａ、４ｂの長さ中央の貫通型節との間部分、及び、各網脚４ａ、４ｂの上側の千鳥型節と、各網脚４ａ、４ｂの長さ中央の貫通型節との間部分のそれぞれに撚を形成する。このさい、各網脚４ａ、４ｂは２つの上辺１ａ、１ｂ又は下辺１ｃ、１ｄの合流したものとなるため、その糸量は、各辺１ａ、１ｂ、１ｃ、１ｄの糸量を同一とするとそれの２倍となる。このような構造となされた変形可能網５は構造的に安定したものとなり、また各節箇所に結節のような球状部の形成されないものとなる。
【００１３】
上記のようにして得られた本発明に係る変形可能網５となされた平面網から、方形網目に近似した網目を有する方形状網体を形成するさいは、例えば次のように行うのであって、即ち、一般にはこれから形成しようとする方形状網体と同一巾の平面網状の変形可能網体５を形成し、これを図３に示すようにその長手方向ｆ１の特定位置ｐ１で巾方向ｆ２へ切断して方形状の裁断網体５ａを形成する。
【００１４】
次にこの網体５ａの長手方向ｆ１の一方の端縁ｍ１、ｍ２（或いは双方の端縁ｍ１、ｍ２）を巾方向ｆ２に引張し、図４に示すように亀甲目４の上辺１ａ、１ｂ又は下辺１ｃ、１ｄ（或いは上辺１ａ、１ｂ及び下辺１ｃ、１ｄ）が裁断網体５ａの巾方向ｆ２へ一線状となる状態となし、この状態の下で張り糸６をその引張された端縁ｍ１、ｍ２の網脚に添わせて縫い付けるようになす。なお、張り糸６の縫いつけられてない端縁ｍ３、ｍ４の網脚の端部は、網糸が解れないように適当な処理を施す。
【００１５】
このように形成された方形状網体を使用するとき、例えば、張り糸６の両端を他物に結び付けてこれを緊張状態となし、この張り糸６に裁断網体５ａの全体を吊り下げ状に支持させる。この状態では、裁断網体５ａの重量が菱目１や亀甲目４の各辺１ａ、１ｂ、１ｃ、１ｄに作用するのであり、このさい各辺１ａ、１ｂ、１ｃ、１ｄの引張力の相互作用から各菱目１は上下寸法Ｌ（図２参照）を圧縮されて扁平状となり、一方、各亀甲目４は上辺１ａ、１ｂの２つの網脚と下辺１ｃ、１ｄの２つの網脚が水平な直線状に近づいて図４に示すような方形網目に近似したものとなり、この状態の方形状網体は方形網目を有する従来の網体と同様に使用され得るものとなる。
【００１６】
また本発明に係る変形可能網５からこれの菱目１や亀甲目４を任意に変形させてなる一定形状の網目を有する方形網体を形成するさいは、例えば次のように行うのであって、即ち、平面網状の変形可能網５をその長手方向ｆ１と巾方向ｆ２へ切断して方形状の裁断網体５ａを形成し、次にこの網体５ａの長手方向ｆ１の一方の端縁ｍ１、ｍ２（或いは双方の端縁ｍ１、ｍ２）の巾寸法を適当長さに調製して、亀甲目４の上辺１ａ、１ｂ又は下辺１ｃ、１ｄ（或いは上辺１ａ、１ｂ及び下辺１ｃ、１ｄ）の２つの網脚が裁断網体５ａの巾方向ｆ２へ向け一線状となるに至る過程で形成される任意な角度で交差する状態となし、この状態を保持するように張り糸６を巾寸法の調製された端縁ｍ１、ｍ２の網脚に添わせてこれに縫い付けるようになす。
【００１７】
こうして形成された方形状網体が先の使用の場合に準じて張り糸６により支持されると、亀甲目４は方形網目に近似するまでには至らないものの、張り糸６と裁断網体５ａとの相対関係により決定される一定形状に変形したものとなる。
【００１８】
また張り糸６を裁断網体５ａの長手方向ｆ１の双方の端部ｍ１、ｍ２に縫い付け、この２本の張り糸６、６に裁断網体５ａを緊張状に支持させると、裁断網体５ａの多数の亀甲目４はさらに斉一な一定形状の網目となる。
【００１９】
本発明の変形可能網は、その亀甲目４を方形網目に近似させることにより、養殖の網とか、野球、サッカー、テニス及びバスケットなどのスポーツに用いられる網などとして便利に使用されるものとなるのであり、また方形網目に近似した網目形状に至るまでの任意な形状の菱目や亀甲目となすことにより、さらにその使途が広範となるものである。
【００２０】
【発明の効果】
以上のように構成した本発明によれば、網の無駄を生じさせることなく、方形網目に近似した無結節網目を有する方形状網体を容易に形成することができるものであり、また同一形状の網目を有する網から任意な一定形状の菱目や亀甲目を有する網体を形成することができるものである。
【００２１】
請求項２によれば、従来存在している殆どの方形網目に近似する網目が得られるものとなり、また巾方向の引伸ばしで生じる菱目や亀甲目の各辺の引張力の相互作用により、網面全体に方形網目に近似した比較的斉一な一定形状の網目群が形成されるものとなるほか、方形網目に近似するまでには至らない程度に変形した一定形状の比較的斉一な亀甲目群が形成されるものとなる。
【図面の簡単な説明】
【図１】本発明に係る変更可能網の織り構造の概要を示す正面図である。
【図２】前記変形可能網の各辺の対比寸法を説明するための正面図である。
【図３】前記変形可能網を示し変形可能網から形成されるべき方形状網体の正面図である。
【図４】前記変形可能網の網目を方形網目に近似させた状態を示す正面図である。
【図５】従来の無結節の菱目網を示す正面図である。
【図６】従来の無結節の菱目網に関し、Ａはその円筒状網の正面図で、Ｂは前記円筒状網から切り出した裁断網体を示す正面図である。
【符号の説明】
１  菱目
１ａ、１ｂ、１ｃ、１ｄ  網目の辺
１ａ、１ｂ  上辺
１ｃ、１ｄ  下辺
４  亀甲目
ａ  菱目の網目辺寸法
ｂ  亀甲網目の左右網脚寸法
ｆ１  長手方向
ｆ２  巾方向
【図１】
0003603147.tif 000002
【図２】
0003603147.tif 000003
【図３】
0003603147.tif 000004
【図４】
0003603147.tif 000005
【図５】
0003603147.tif 000006
【図６】
0003603147.tif 000007